(57)【特許請求の範囲】
【請求項１】
プロセスに関する情報の制御及び表示を行う制御表示装置において、
筐体内に設けられ、前記筐体の底部との間に隙間を形成して設けられる置台上に配置される制御装置と、
前記筐体内に設けられ、前記制御装置の上部に配置される表示装置と、
前記制御装置及び前記表示装置を冷却するための外気を前記筐体内部に吸気する吸気手段と、
前記吸気手段により吸気された外気を前記隙間に分流させる分流手段、とを有することを特徴とする制御表示装置。
【請求項２】
請求項１記載の制御表示装置において、
前記分流手段は、前記筐体内に設けられる支持部材に回転自在に取付けられる分流板であり、
前記分流板を立てた状態では前記吸気手段により吸気された外気を前記隙間に分流させ、倒した状態では前記制御装置の出し入れのための延長置台として使用可能としたことを特徴とする制御表示装置。
【発明の詳細な説明】
【０００１】
【発明の属する技術分野】
本発明は、プロセスの統合管理制御システムに用いられ、プロセスに関する情報の制御及び表示を行うマンマシンインターフェイスとしての制御表示装置に関するものである。
【０００２】
【従来の技術】
図３は従来の制御表示装置の構造を示す断面図、図４は従来の制御表示装置の背面から見た斜視図である。
図３、図４において、１は筐体、２は入出力カード、シグナルコンディショナカード等の複数のカードがネストに組込まれた制御装置であり、筐体１の底部に設置されている。
【０００３】
３はＣＲＴ等の表示装置であり、筐体１内に埋め込まれて制御装置２の上部に配置されている。
４は吸気手段としての冷却ファンであり、筐体１の背面に開閉可能に設けられたドア５に設置され、制御装置２の背面近傍に配置されている。
【０００４】
図４において、５ａはドア５の冷却ファン４に対向する位置に開口された吸気口であり、５ｂはドア５の吸気口５ａの上部に開口された排気口である。
【０００５】
そして、冷却ファン４によって吸気口５ａを介して外気を筐体１内部に吸気して制御装置２の背面に直接吹きつけ、制御装置２を冷却する。
そして、制御装置２にあてられた外気の一部は制御装置２の上部に抜けて排気口５ｂより排気され、他部は制御装置２の下部に回って制御装置２に内蔵されるファン（図示しない）によって吸い上げられる。
そして、吸い上げられた外気は制御装置２の冷却を行うと共に表示装置３の背面にあたって表示装置３を冷却し、その後排気口５ｂより排気される。
【０００６】
この場合、制御装置２は制御表示装置用に特別に設計されたものが使用されていたために、汎用性がなく応用範囲は限定されていた。
従って汎用性を高めるために汎用的なパーソナルコンピュータ（以下、ＰＣと記す）を制御装置２に置き換えることが求められてきた。
【０００７】
【発明が解決しようとする課題】
一般的にＰＣの冷却は、正面から外気を吸入し、背面から排気する。
従って、図３及び図４に示した構造において制御装置２をＰＣに置きかえた場合、ＰＣ背面からの排気と冷却ファン４によって吸入される外気とが衝突し、ＰＣの冷却を妨げるという問題点があった。
【０００８】
また、冷却ファン４を無くした場合は表示装置３を冷却することができなくなるという問題点があり、冷却ファン４を筐体１の正面に設け、ＰＣの正面に外気を吹き付けるようにした場合は、埃の多い作業者の足元の外気を筐体１内に取り入れることとなり好ましくない。
【０００９】
また、ＰＣを例えば筐体１の外部の机上に設置することは電源のオンオフ、ケーブルの抜き差しを容易に行うことができるため、安全上問題があり好ましくない。
【００１０】
本発明は上述した問題点を解決するためになされたものであり、ＰＣの排気を妨げず、ＰＣ及び表示装置の冷却効率を高めた制御表示装置を実現することを目的とする。
【００１１】
【課題を解決するための手段】
本発明の請求項１においては、プロセスに関する情報の制御及び表示を行う制御表示装置において、筐体内に設けられ、前記筐体の底部との間に隙間を形成して設けられる置台上に配置される制御装置と、前記筐体内に設けられ、前記制御装置の上部に配置される表示装置と、前記制御装置及び前記表示装置を冷却するための外気を前記筐体内部に吸気する吸気手段と、前記吸気手段により吸気された外気を前記隙間に分流させる分流手段、とを有することを特徴とする制御表示装置である。
【００１２】
本発明の請求項２においては、請求項１記載の制御表示装置において、前記分流手段は、前記筐体内に設けられる支持部材に回転自在に取付けられる分流板であり、前記分流板を立てた状態では前記吸気手段により吸気された外気を前記隙間に分流させ、倒した状態では前記制御装置の出し入れのための延長置台として使用可能としたことを特徴とする制御表示装置である。
【００１３】
【発明の実施の形態】
次に、本発明の実施例について図面を用いて説明する。
尚、以下の図面において、図３及び図４と重複する部分は同一番号を付してその説明は適宜に省略する。
【００１４】
図１は本発明による制御表示装置の構成を示す断面図である。
図１（ａ）において、６は筐体１に固定される置台であり、筐体１の底部と置台との間には隙間７が形成されている。
【００１５】
８は制御装置としてのＰＣ、９は隙間７に配置される分電盤、１０は分流手段としての分流板であり、ビス等により支持部材としての置台６の側面部に上下方向に回転可能に取付けられ、ＰＣ８の背面と冷却ファン４との間に配置されている。
尚、支持部材は置台６と個別に筐体内に設けても良い。
【００１６】
この場合、分電盤９が配置されることにより隙間７は完全に密閉されずに通風路として機能する隙間が維持されており、ドア５が閉じられた状態において、分流板１０の一端は隙間７の近傍に配置され、他端は冷却ファン４の上部近傍に配置され、分流板１０によってＰＣ８の背面と冷却ファン４とは分離されている。
【００１７】
まず、吸引手段としての冷却ファン４によって筐体１内部に吸気された外気は、分流板１０によって隙間７方向に誘導され、隙間７を通風路として通過した後、ＰＣ８の前面に誘導される。
【００１８】
そして、ＰＣ８の前面に誘導された外気の一部はＰＣ８に内蔵されるファン（図示しない）によって吸引されてＰＣ８を冷却し、ＰＣ８の背面より排気される。
そして、ＰＣ８の前面に誘導された外気の他部はＰＣ８の上部に流れて表示装置３を冷却した後、ＰＣ８の背面より排気された外気と共に図４に示した排気口５ｂより筐体１の外部に排気される。
【００１９】
この場合、冷却ファン４によって筐体１内部に吸気された外気は分流板１０によって通風路としての隙間７を通過してＰＣ８の前面に誘導され、ＰＣ８を冷却してＰＣ８の背面から排気される温度の高い空気は、分流板１０によって遮断されて隙間７の方向に流れず、排気口５ｂの方向に分流される。
従って、冷却ファン４によって筐体１内部に吸気される外気はＰＣ８の排気と衝突することはなく、表示装置３及びＰＣ８の冷却効率を高めることができる。
【００２０】
また、冷却ファン４に防塵フィルターを装着することにより、埃の多い悪環境下においても使用することが可能となり、筐体１を床に固定することにより、筐体１に固定されている表示装置３及びＰＣ８に対する耐震性を高めることができる。
【００２１】
次に、ＰＣの保守作業について説明する。
図２（ａ）は分流板を立てた状態の制御表示装置を示す分解斜視図、図２（ｂ）は分流板を倒しＰＣを引き出した状態の制御表示装置を示す分解斜視図である。
尚、筐体のドアは説明を容易にするために図示しない。
【００２２】
上述のように、分流板１０は支持部材としての置台６の側面部に上下に回転可能に取付られているため、筐体１のドア５を閉じた状態では分流板１０を立てた状態とし、ドア５を開放した状態では分流板１０を倒した状態とすることが可能である。
【００２３】
図２（ａ）において、分流板１０は立てた状態とされており、分流板１０は図１に示したように冷却ファン（図示しない）により吸気された外気を筐体１の底部と置台６との間に形成された隙間７に分流させ、表示装置３及びＰＣ８の冷却効率を高める。
【００２４】
図２（ｂ）において、筐体１のドア（図示しない）が開放されて分流板１０が倒された状態とされており、保守作業時等にＰＣ８を引き出す場合、分流板１０はＰＣ８を置くための延長置台として使用される。
【００２５】
このように、保守等のためにＰＣ８を筐体１内外に出し入れする場合、筐体１のドアを開放させて分流板１０を倒した状態としてＰＣ８の延長置台としてし使用することにより、容易にＰＣ８の脱着を行うことができ、保守効率を高めることができる。
【００２６】
尚、支持部材としての置台６の下部に図示しないレール等を設けて、分流板１０を倒した状態で水平方向に滑らせて移動可能な構成とすることによりＰＣ８の脱着がさらに容易になるので、より保守効率を高めた制御表示装置を実現することができる。
【００２７】
【発明の効果】
以上説明したように本発明によれば、立てた状態では吸引手段によって筐体内部に吸引された外気を分流させる分流板として使用され、倒した状態では制御装置の延長置台として使用される分流板を設けたので、分流板を立てた状態では冷却効率を高め、倒した状態では保守効率を高めることができる制御表示装置を実現することができる。
【図面の簡単な説明】
【図１】本発明による制御表示装置の構成を示す断面図である。
【図２】分流板を立てた状態及び倒した状態の制御表示装置の分解斜視図である。
【図３】従来の制御表示装置の構造を示す断面図である。
【図４】従来の制御表示装置の背面から見た斜視図である。
【符号の説明】
１  筐体
３  表示装置
４  冷却ファン
６  置台
７  隙間
８  ＰＣ
１０  分流板
【図１】
0004135057.tif 000002
【図２】
0004135057.tif 000003
【図３】
0004135057.tif 000004
【図４】
0004135057.tif 000005